(57)【要約】      （修正有）【課題】低い周波数でプラズマディスプレイパネルの画像を具現する場合発生するフリッカーをとり除いて、同時に二重映像をとり除いて画質を進めることができるプラズマ表示装置及びその画像処理方法を提供する。【解決手段】本発明のプラズマ表示装置は一つフレームの間入力される階調信号が第１階調信号と第２階調信号で分割する階調信号分割部と、前記第１階調信号を高周波帯域にフィルタリングする高域通過フィルター部と、前記第２階調信号を低周波帯域にフィルタリングする低域通過フィルター部を含む。【選択図】図１２
2006195405.tif 000002
【特許請求の範囲】
【請求項１】
一つフレームの間入力される階調信号を第１階調信号と第２階調信号で分割する階調信号分割部と、
前記第１階調信号を高周波帯域にフィルタリングする高域通過フィルター部と、
前記第２階調信号を低周波帯域にフィルタリングする低域通過フィルター部と
を含むことを特徴とするプラズマ表示装置。
【請求項２】
前記高域通過フィルター部は、
前記第１階調信号が前記高周波帯域に通過する時、前記階調信号の階調値を制限する第１リミッターをさらに含むことを特徴とする、請求項１記載のプラズマ表示装置。
【請求項３】
前記低域通過フィルター部は、
前記第２階調信号が前記低周波帯域に通過する時、前記階調信号の階調値を償う第２リミッターをさらに含むことを特徴とする、請求項１記載のプラズマ表示装置。
【請求項４】
前記入力される階調信号が停止映像信号である時、 
前記第１階調信号と前記第２階調信号の平均値は前記入力される階調信号の階調信号値と同一なことを特徴とする、請求項１記載のプラズマ表示装置。
【請求項５】
(a)  一つフレームの間入力される階調信号を第１階調信号と第２階調信号で分割する階調信号分割段階と、
(b)  前記第１階調信号を高周波帯域にフィルタリングする高域通過フィルタリング段階と、
(c)  前記第２階調信号を低周波帯域にフィルタリングする低域通過フィルタリング段階と
を含むことを特徴とするプラズマ表示装置の画像処理方法。
【請求項６】
前記高域通過フィルタリング段階は、
前記第１階調信号が前記高周波帯域で通過する時、前記階調信号の階調値を制限する階調値制限段階をさらに含むことを特徴とする、 請求項５記載のプラズマ表示装置の画像処理方法。
【請求項７】
前記低域通過フィルタリング段階は、
前記第２階調信号が前記低周波帯域に通過する時、前記階調信号の階調値を償う階調値補償段階をさらに含むことを特徴とする、請求項５記載のプラズマ表示装置の画像処理方法。
【請求項８】
前記入力される階調信号が停止映像信号である時、 
前記第１階調信号と前記第２階調信号との平均値は前記入力される階調信号の階調信号値と同一なことを特徴とする、請求項５記載のプラズマ表示装置の画像処理方法。
【請求項９】
一つフレームの間入力される階調信号を第１階調信号と第２階調信号とで分割する階調信号分割部と、
前記第１階調信号と第２階調信号をフレーム単位で貯蔵するフレームメモリー部と、
前記現在フレームの第１階調信号を高周波帯域にフィルタリングする高域通過フィルター部と、
前記現在(N)プレームと次(N+１)フレームの第２階調信号を変換して平均信号を生成する平均信号生成部；及び
前記平均信号を低周波帯域にフィルタリングする低域通過フィルター部とを含むことを特徴とするプラズマ表示装置。
【請求項１０】
前記高域通過フィルター部は、前記第１階調信号が前記高周波帯域に通過する時、 前記階調信号の階調値を制限する第１リミッターをさらに含むことを特徴とする、請求項９記載のプラズマ表示装置。
【請求項１１】
前記低域通過フィルター部は、前記第２階調信号の平均信号が前記低周波帯域に通過する時、 前記平均信号の階調値を償う第２リミッターをさらに含むことを特徴とする、請求項９記載のプラズマ表示装置。
【請求項１２】
前記第２リミッターは、現在プレームと次のフレームの第２階調信号の階調値差の絶対値を利用して償うことを特徴とする、請求項１１記載のプラズマ表示装置。
【請求項１３】
前記入力される階調信号が停止映像信号である時、 
前記第１階調信号と前記第２階調信号の平均信号の平均値は、前記入力される階調信号の階調信号値と同一なことを特徴とする、請求項９記載のプラズマ表示装置。
【請求項１４】
(a)一つフレームの間入力される階調信号を第１階調信号と第２階調信号で分割する階調信号分割段階と、
(b)前記第１階調信号と第２階調信号をフレーム単位で貯蔵するフレームメモリー段階と、
(c)前記現在フレームの第１階調信号を高周波帯域にフィルタリングする高域通過フィルタリング段階と、
(d)前記現在(N)プレームと次(N+１)フレームの第２階調信号を変換して平均信号を生成する平均信号生成段階；及び
(e)前記平均信号を低周波帯域にフィルタリングする低域通過フィルタリング段階とを含むことを特徴とするプラズマ表示装置の画像処理方法。
【請求項１５】
前記高域通過フィルタリング段階は、
前記第１階調信号が前記高周波帯域に通過する時、前記階調信号の階調値を制限する階調値制限段階をさらに含むことを特徴とする、請求項１４記載のプラズマ表示装置の画像処理方法。
【請求項１６】
前記低域通過フィルタリング段階は、
前記第２階調信号の平均信号が前記低周波帯域に通過する時、前記平均階調信号の階調値を償う階調値補償段階をさらに含むことを特徴とする、請求項１４記載のプラズマ表示装置の画像処理方法。
【請求項１７】
前記階調値補償段階は、現在フレームと次のフレームの階調信号の階調値差の絶対値を利用して償ってくれることを特徴とする、請求項１６記載のプラズマ表示装置の画像処理方法。
【請求項１８】
前記入力される階調信号が停止映像信号である時、 
前記第１階調信号と前記第２階調信号の平均信号の平均値は前記入力される階調信号の階調信号値と同一なことを特徴とする、請求項１４記載のプラズマ表示装置の画像処理方法。
【請求項１９】
一つフレームの間入力される階調信号を第１階調信号と第２階調信号で分割する階調信号分割部と、
前記第１階調信号と第２階調信号をフレーム単位で貯蔵するフレームメモリー部と、
前記現在フレームの第１階調信号を高周波帯域にフィルタリングする高域通過フィルター部と、
前記現在(N)プレームと次(N+１)フレームの第２階調信号を変換して平均信号を生成する平均信号生成部と、
前記平均信号を低周波帯域にフィルタリングする低域通過フィルター部と、
前記第２階調信号を現在フレームと次のフレームのR(Red)、G(Green)、B(Blue)の輝度信号に変換するY信号変換部と、
前記Y信号変換部で入力される輝度信号の現在プレームと次のフレームの階調値差に依って前記現在フレームまたは次のフレームの第２階調信号を選択する階調信号選択部と、
前記選択された階調信号のノイズをとり除くノイズ除去部；及び
前記ノイズが除去された階調信号を前記分割後の現在フレームの第１階調信号、 現在フレームの第２階調信号または次のフレームの第２階調信号の中で何か一つの階調信号に付け加える選択部とを含むことを特徴とするプラズマ表示装置。
【請求項２０】
前記高域通過フィルター部は、
前記第１階調信号が前記高周波帯域に通過する時、前記階調信号の階調値を制限する第１リミッターをさらに含むことを特徴とする、請求項１９記載のプラズマ表示装置。
【請求項２１】
前記低域通過フィルター部は、
前記第２階調信号が前記低周波帯域に通過する時、前記階調信号の階調値を償う第２リミッターをさらに含むことを特徴とする、請求項１９記載のプラズマ表示装置。
【請求項２２】
前記第２リミッターは、現在フレームと次のフレームの階調信号の階調値差の絶対値を求めて、前記絶対値で償うことを特徴とする、請求項２１記載のプラズマ表示装置。
【請求項２３】
前記第２リミッターは、現在フレームと次のフレームの輝度信号(Y)の階調値差の絶対値を求めて、前記絶対値で償うことを特徴とする、請求項２２記載のプラズマ表示装置。
【請求項２４】
前記入力される階調信号が停止映像信号である時、 
前記第１階調信号と前記第２階調信号の平均信号の平均値は前記入力される階調信号の階調信号値と同一なことを特徴とする、請求項１９記載のプラズマ表示装置。
【請求項２５】
(a)一つフレームの間入力される階調信号を第１階調信号と第２階調信号で分割する階調信号分割段階と、
(b)前記第１階調信号と第２階調信号をフレーム単位で貯蔵するフレームメモリー段階と、
(c)前記現在フレームの第１階調信号を高周波帯域にフィルタリングする高域通過フィルタリング段階と、
(d)前記現在(N)プレームと次(N+１)フレームの第２階調信号を変換して平均信号を生成する平均信号生成段階と、
(e)前記平均信号を低周波帯域にフィルタリングする低域通過フィルタリング段階と、
(f)前記第２階調信号を現在フレームと次のフレームのR(Red)、G(Green)、B(Blue)の輝度信号で変換するY信号変換段階と、
(g)前記Y信号変換段階で入力される輝度信号の現在フレームと次のフレームの階調値差に依って前記現在フレームまたは次のフレームの第２階調信号を選択する階調信号選択段階と、
(h)前記選択された階調信号のノイズをとり除くノイズ除去段階と、
(i)前記ノイズが除去された階調信号を前記分割後の現在フレームの第１階調信号、 現在フレームの第２階調信号または次のフレームの第２階調信号の中で何か一つの階調信号に付け加える選択段階とを含むことを特徴とするプラズマ表示装置の画像処理方法。
【請求項２６】
前記高域通過フィルタリング段階は、
前記第１階調信号が前記高周波帯域に通過する時、前記階調信号の階調値を制限する階調値制限段階をさらに含むことを特徴とする、請求項２５記載のプラズマ表示装置の画像処理方法。
【請求項２７】
前記低域通過フィルタリング段階は、
前記第２階調信号が前記低周波帯域に通過する時、前記階調信号の階調値を償う階調値補償段階をさらに含むことを特徴とする、請求項２５記載のプラズマ表示装置の画像処理方法。
【請求項２８】
前記階調値補償段階は、
現在フレームと次のフレームの階調信号の階調値差の絶対値を利用して償ってくれることを特徴とする、請求項２７記載のプラズマ表示装置の画像処理方法。
【請求項２９】
前記階調値補償段階は現在フレームと次のフレームの輝度信号(Y)の階調値差の絶対値を利用して償うことを特徴とする、請求項２７記載のプラズマ表示装置の画像処理方法。
【請求項３０】
前記入力される階調信号が停止映像信号である時、 
前記第１階調信号と前記第２階調信号の平均信号の平均値は、前記入力される階調信号の階調信号値と同一なことを特徴とする、請求項２５記載のプラズマ表示装置の画像処理方法。
【発明の詳細な説明】
【技術分野】
【０００１】
本発明はプラズマディスプレイパネルに関し、より詳しくは表示される画面のフリッカーをとり除くことができると共に二重映像をとり除くことができるプラズマ表示装置及びその画像処理方法に関する。
【背景技術】
【０００２】
一般的にプラズマディスプレイパネルは前面基板と後面基板の間に形成された隔壁が一つの単位セルを成すことで、各セル内にはネオン(Ne)、ヘリウム(He)またはネオン及びヘリウムの混合気体(Ne+He)のような主放電気体と少量のキセノンを含む不活性ガスが充填されてある。高周波電圧によって放電になる時、不活性ガスは真空紫外線(Vacuum Ultraviolet rays)を発生して隔壁の間に形成された蛍光体を発光させて画像が具現される。このようなプラズマディスプレイパネルは薄くて軽い構成が可能なので次世代表示装置として脚光を浴びている。
【０００３】
図１は一般的なプラズマディスプレイパネルの構造を示す図である。
図１に示したのように、プラズマディスプレイパネルは画像がディスプレイする表示面である前面ガラス１０１にスキャン電極１０２とサステイン電極１０３が対を成して形成された復数の維持電極対が配列された前面基板１００及び背面を成す後面ガラス１１１上に上述した復数の維持電極対と交差されるように復数のアドレス電極１１３が配列された後面基板１１０が一定距離を間に置いて平行に結合される。
【０００４】
前面基板１００は一つの放電セルで相互放電させてセルの発光を維持するためのスキャン電極１０２及びサステイン電極１０３、すなわち透明なITO物質に形成された透明電極(a)と金属材質に製作されたバス電極(b)に具備されたスキャン電極１０２及びサステイン電極１０３が対を成して含まれる。スキャン電極１０２及びサステイン電極１０３は放電電流を制限して電極対の間を絶縁させてくれるひとつ以上の上部誘電体層１０４によって覆われて、上部誘電体層１０４上面には放電条件を容易くするために酸化マグネシウム(MgO)を蒸着した保護層１０５が形成される。
【０００５】
後面基板１１０は複数個の放電空間すなわち、放電セルを形成させるためのストライプタイプ(またはウェルタイプ)の隔壁１１２が平行を維持して配列される。また、アドレス放電を遂行して真空紫外線を発生させる複数のアドレス電極１１３が隔壁１１２に対して平行に配置される。後面基板１１０の上側面にはアドレス放電の時画像表示のための可視光線を放出するR、G、 B蛍光体１１４が塗布される。アドレス電極１１３と蛍光体１１４の間にはアドレス電極１１３を保護するための下部誘電体層１１５が形成される。
【０００６】
このような、構造のプラズマディスプレイパネルは放電セルがマトリックス(Matrix)構造で複数個が形成されて、放電セルに所定のパルスを供給するための駆動回路を含む駆動モジュールが附着して駆動装置を成す。このようなプラズマディスプレイパネルと駆動装置の結合関係をよく見れば図２のようである。
【０００７】
図２は従来のプラズマディスプレイパネルの駆動装置を説明するための図である。図２に示したのように、従来のプラズマディスプレイパネルの駆動装置は放電セルがマトリックス(Matrix)構造で複数個が形成されたプラズマディスプレイパネルに附着して上述した放電セルに所定のパルスを供給する。 
【０００８】
この時、プラズマディスプレイパネルの駆動装置は図２のように、データ整列部２００、タイミングコントローラ２０１、データ駆動部２０２、スキャン駆動部２０３及びサステイン駆動部２０４を含んで構成される。 
【０００９】
このような、従来の駆動装置のデータ整列部２００は外部から入力される映像データを整列してそれぞれのアドレス電極(X１~Xm)に印加されるようにして、このように整列されたデータはデータ駆動部２０２を通じてプラズマディスプレイパネル２０５のアドレス電極(X１~Xm)に印加される。 
【００１０】
また、タイミングコントローラ２０１の制御によってスキャン駆動部２０３がスキャン信号とサステイン信号をそれぞれのスキャン電極(Y１~Yn)に印加して、サステイン駆動部２０４はサステイン信号をそれぞれのサステイン電極(Z)に印加する。このような、過程を通じてプラズマディスプレイパネル２０５が駆動される。このようなプラズマディスプレイパネルで画像階調を具現する方法は次図３のようである。
【００１１】
図３は従来プラズマディスプレイパネルの画像階調を具現する方法を示す図である。
【００１２】
図３に示したのように、従来プラズマディスプレイパネルの画像階調(Gray Level)表現方法は一つフレームを発光回数が異なる複数のサーブフィールドで分けて、各サーブフィールドはまたすべてのセルらを初期化させるためのリセット期間(RPD)、放電するセルを選択するためのアドレス期間(APD)及び放電回数によって階調を具現するサステイン期間(SPD)で分けられる。
【００１３】
例えば、２５６階調で画像を表示しようとする場合に１/６０秒にあたるフレーム期間(１６．６７ms)は、図３のように８個のサーブフィールド(SF１乃至SF８)で分けられて、 ８個のサーブフィールドら(SF１乃至SF８)それぞれはリセット期間、アドレス期間及びサステイン期間でさらに分けられる。
【００１４】
各サーブフィールドのリセット期間及びアドレス期間は各サーブフィールド毎に同一である。
放電するセルを選択するためのアドレス放電はアドレス電極とスキャン電極である透明電極の間の電圧の差によって起きる。サステイン期間は、各サーブフィールドで２n(ただ、 n = ０、１、２、３、４、５、６、７)の割合で増加される。 
【００１５】
このように、各サーブフィールドでサステイン期間が変わるようになるので各サーブフィールドのサステイン期間すなわち、サステイン放電回数を調節して画像の階調を表現する。
【００１６】
一方、ヨーロッパのテレビ放送方式はPAL(Phase Alternate Line)方式と SECAM(Systems Equential Couleur A Memoire)方式で、 ５０ Hzの比較的低い垂直同期周波数を使っている。これによって、フリッカー(flicker)が発生する問題点がある。従来にはこのような問題点を解決するために図４のように、プラズマディスプレイパネルのサーブフィールドを構成した。 
【００１７】
図４は、従来の一つフレームの間２個のグループで構成されるサーブフィールドを概略的に示す図である。図４に示したのように、従来には５０ Hzの垂直同期周波数を使う場合、一つフレーム内でお互いに違う加重値のサーブフィールドを二つのグループで分けて配した。 
【００１８】
例えば、第１サーブフィールドグループに加重値１のサーブフィールド、加重値８のサーブフィールド、加重値１６のサーブフィールド、加重値３２のサーブフィールド及び加重値６４のサーブフィールドを包含させる。
【００１９】
第２サーブフィールドグループには加重値２のサーブフィールド、加重値４のサーブフィールド、二つの加重値８のサーブフィールド、加重値１６のサーブフィールド、加重値３２のサーブフィールド及び加重値６４のサーブフィールドを包含させる。
【００２０】
このように、配列された一つのフレーム内でのサーブフィールドの加重値の合は１ + ２ + ４ + ８ + (８+８) + (１６+１６) + (３２+３２) + (６４+６４)、すなわち２５５である。結局、２５６階調を具現することができる。また、１画面分の画像を２倍の速度で２回繰り返して表示することで、 １００Hzの周波数を使うことと同じ效果を出すことができるし、フリッカーをとり除くことができる。
【００２１】
図５a及び図５bは、従来の映像具現の時現われるフリッカー及び二重映像を説明するための図である。図５aは、従来のPAL/SECAM方式による５０ Hzの周波数に表示される映像でフリッカーが発生される現象を示す。図５bは、２個のサーブフィールドグループで映像を具現する時、現われる二重映像を説明している。
【００２２】
図５aに示したのように、５０ Hzの低い周波数に表示される映像は使用者が認識することができるほどのフリッカーが発生するようになる。これを解決するため、図４のように、一つフレームの間２個のサーブフィールドグループで構成してフリッカーをとり除くことができる。 
【００２３】
図５bに示したのように、同一映像を一つフレームの間２回連続して表示した場合、動映像 に対して使用者の視線移動と加えられた第２サーブフィールドグループによって表示される映像によってその位置が視線から行き違う。 
よって、使用者の網膜上には映像が二重で重なったように見える問題点がある。
【発明の開示】
【発明が解決しようとする課題】
【００２４】
本発明は、前記のような問題点を解決するためのことで、その目的は、低い周波数でプラズマディスプレイパネルの画像を具現する場合発生するフリッカーをとり除いて、同時に二重映像をとり除いて画質を進めることができるプラズマ表示装置及びその画像処理方法を提供するのである。 
【課題を解決するための手段】
【００２５】
前記目的を果たすために、本発明の第１実施例によるプラズマ表示装置は一つフレームの間入力される階調信号を第１階調信号と第２階調信号で分割する階調信号分割部と、前記第１階調信号を高周波帯域にフィルタリングする高域通過フィルター部、及び前記第２階調信号を低周波帯域にフィルタリングする低域通過フィルター部を含む。
【００２６】
本発明の第２実施例によるプラズマ表示装置は一つフレームの間入力される階調信号を第１階調信号と第２階調信号で分割する階調信号分割部と、前記第１階調信号と前記第２階調信号をフレーム単位で貯蔵するフレームメモリー部と、前記現在フレームの第１階調信号を高周波帯域にフィルタリングする高域通過フィルター部と、前記現在(N)フレームと次(N+１)フレームとの第２階調信号を変換して平均信号を生成する平均信号生成部、及び前記平均信号を低周波帯域にフィルタリングする低域通過フィルター部を含む。
【００２７】
本発明の第３実施例によるプラズマ表示装置は一つフレームの間入力される階調信号を第１階調信号と第２階調信号で分割する階調信号分割部、前記第１階調信号と第２階調信号をフレーム単位で貯蔵するフレームメモリー部、前記現在フレームの第１階調信号を高周波帯域にフィルタリングする高域通過フィルター部、前記現在(N)フレームと次(N+１)フレームの第２階調信号を変換して平均信号を生成する平均信号生成部、前記平均信号を低周波帯域でフィルタリングする低域通過フィルター部、前記第２階調信号を現在フレームと次のフレームのR(Red)、G(Green)、B(Blue)の輝度信号で変換するY信号変換部、前記Y信号変換部で入力される輝度信号の現在フレームと次のフレームの階調値差によって前記現在フレームまたは次のフレームの第２階調信号を選択する階調信号選択部、前記選択された階調信号のノイズをとり除くノイズ除去部、及び前記ノイズが除去された階調信号を前記分割後の現在フレームの第１階調信号、現在フレームの第２階調信号または次のフレームの第２階調信号の中に何れか一つの階調信号に付け加える選択部を含む。
【００２８】
本発明の第１実施例によるプラズマ表示装置の画像処理方法は、(a)一つフレームの間入力される階調信号を第１階調信号と第２階調信号とで分割する階調信号分割段階と、(b)前記第１階調信号を高周波帯域にフィルタリングする高域通過フィルタリング段階、及び(c)前記第２階調信号を低周波帯域にフィルタリングする低域通過フィルタリング段階を含む。
【００２９】
本発明の第２実施例によるプラズマ表示装置の画像処理方法は、(a)一つフレームの間入力される階調信号を第１階調信号と第２階調信号で分割する階調信号分割段階、(b)前記第１階調信号と第２階調信号をフレーム単位で貯蔵するフレームメモリー段階、(c)前記現在フレームの第１階調信号を高周波帯域にフィルタリングする高域通過フィルタリング段階、 (d)前記現在(N)プレームと次(N+１)フレームの第２階調信号を変換して平均信号を生成する平均信号生成段階、及び(e)前記平均信号を低周波帯域にフィルタリングする低域通過フィルタリング段階を含む。
【００３０】
本発明の第３実施例によるプラズマ表示装置の画像処理方法は、(a)一つフレームの間入力される階調信号を第１階調信号と第２階調信号で分割する階調信号分割段階と、(b)前記第１階調信号と第２階調信号をフレーム単位で貯蔵するフレームメモリー段階と、(c)前記現在フレームの第１階調信号を高周波帯域にフィルタリングする高域通過フィルタリング段階、 (d)前記現在(N)プレームと次(N+１)フレームの第２階調信号を変換して平均信号を生成する平均信号生成段階と、(e)前記平均信号を低周波帯域でフィルタリングする低域通過フィルタリング段階と、(f)前記第２階調信号を現在プレームと次のフレームのR(Red)、G(Green)、B(Blue)の輝度信号で変換するY信号変換段階と、(g)前記Y信号変換段階で入力される輝度信号の現在プレームと次のフレームの階調値差によって前記現在フレームまたは次のフレームの第２階調信号を選択する階調信号選択段階と、(h)前記選択された階調信号のノイズをとり除くノイズ除去段階と、(i)前記ノイズが除去された階調信号を前記分割後の現在フレームの第１階調信号、現在フレームの第２階調信号または次のフレームの第２階調信号の中に何れか一つの階調信号に付け加える選択段階を含む。
【００３１】
このような本発明はひとつフレームうちの映像を２個のサーブフィールドグループで具現するため、入力される階調信号を第１階調信号と第２階調信号で分割する。第１階調信号は高域通過フィルタリングをすることで、表示される光の明るいのが増加して、第２階調信号は低域通過ピルトングリングをすることで、表示される光の明るさが縮む。これで、フィルタリングされた第１階調信号と第２階調信号によって二重映像をとり除くことができるし、表示される画面のフリッカーをとり除くことができる。
【００３２】
この時、第２階調信号はフレームメモリー部を通じて現在プレームと次のフレームで平均信号を求めた後フィルタリングすることで、より效果的に二重映像をとり除くことができる。
【００３３】
また、本発明では現在プレームと次のフレームの第２階調信号の階調値の差を利用して、選択された第２階調信号を付け加えてフィルタリングすることで、第１階調信号に対して、空間的に移動された第２階調信号を画面に表示することができる。
【発明の効果】
【００３４】
以上のように本発明は低い周波数でプラズマディスプレイパネルの画像を具現する場合発生するフリッカーをとり除いて、同時に二重映像をとり除いて画質を進めることができる效果がある。
【発明を実施するための最良の形態】
【００３５】
以下では本発明による具体的な実施例を添付された図面に基づいて説明する。
【００３６】
<第１実施例>
図６は、本発明の第１実施例によるプラズマディスプレイパネルの画像処理装置を説明するためのブロック図である。図６に示したのように、本発明の第１実施例によるプラズマディスプレイパネルの画像処理装置は、一つフレームの間入力される階調信号が第１階調信号と第２階調信号に分割されて、前記第１階調信号は高周波帯域でフィルタリングされて、前記第２階調信号は低周波帯域でフィルタリングされるようにする。 
【００３７】
このようなプラズマディスプレイパネルの駆動装置を具現するため、本発明の第１実施例では、階調信号分割部６１０、高域通過フィルター部６２０及び低域通過フィルター部６３０を具備する。
【００３８】
階調信号分割部６１０は、一つフレームの間入力される階調信号を第１階調信号と第２階調信号とに分割する。この時、第１階調信号と第２階調信号は、以後、サーブフィールドマッピング部(図示せず)を通じて一つフレーム内に第１サーブフィールドグループと第２サーブフィールドグループにマッピングされる。
【００３９】
高域通過フィルター部(High Pass Filter；６２０)は、階調信号分割部６１０から入力される第１階調信号を高周波帯域にフィルタリングする。このようなフィルタリングは、画像処理において空間フィルタリング(Spatial Filtering)により実行され、高域通過フィルター部でフィルタリングされた第１階調信号は画面に表示される光の明るさが増加するようになる。
【００４０】
低域通過フィルター部(Low Pass Filter)６３０は、階調信号分割部６１０から入力される第２階調信号を低周波帯域にフィルタリングする。このようなフィルタリングは、画像処理において空間フィルタリングにより実行され、低域通過フィルター部６３０でフィルタリングされた第２階調信号は画面に表示される光の明るさが減少するようになる。
【００４１】
これにより、第２階調信号によって表示される光の明るさが減少して、第１階調によって表示される光の明るさが増加するによって、一つフレームの間第１階調信号によって映像が表示されるように見える。動映像である場合、従来の同一に表示される第１階調信号と第２階調信号によって現われる二重映像が除去される效果が現われるようになる。
【００４２】
ここで、入力される階調信号が停止映像信号である時、第１階調信号と第２階調信号との平均値は、入力される階調信号の階調信号値と同一な階調信号値を持つ。
【００４３】
このような、高域通過フィルター及び低域通過フィルターに対してさらによく見れば次の図７のようである。
【００４４】
図７a及び図７bは、本発明の第１実施例による高域通過フィルター及び低域通過フィルターを説明するための図である。図７aは、本発明の第１実施例による高域通過フィルターの構造を概略的に示す。図７bは、本発明の第１実施例による低域通過フィルターの構造を概略的に示す。
【００４５】
図７aに示したのように、高域通過フィルター部７００aは低域通過ユニット(Low Pass Unit)７１０、逓倍器(Multiplier)７２０、加算器７３０及び第１リミッター(Limiter)７４０を含む。
【００４６】
低域通過ユニット７１０は、一種の低域通過フィルターで低周波帯域でフィルタリングして、隣接ピクセルに対してマスキングを遂行してノイズをとり除く。
【００４７】
逓倍器(７２０)は、第１階調信号の周波数を定数倍する。第１実施例では入力される第１階調信号を二倍で増加させる。
【００４８】
加算器７３０は、少なくとも２個以上の数を入力にしてこれらの合計を出力する。
【００４９】
本発明の第１実施例による高域通過フィルター部７００aは、入力される第１階調信号の周波数を逓倍器７２０で二倍増加させた値に、低域通過ユニット７１０を通じて入力される低周波成分の値を差引きすることで、第１階調信号は高周波帯域でフィルタリングされる。
【００５０】
第１リミッター７４０は、第１階調信号が高周波帯域に通過される時、第１階調信号の階調値を０以上２５５以下で制限する。すなわち、第１階調信号の増加した光の明るさを適当なレベルで制限する役目を遂行する。
【００５１】
図７bに示したのように、低域通過フィルター部７００bは、低域通過ユニット(Low Pass Unit)７５０、逓倍器(Multiplier)７６０、第１加算器７７０、第２リミッター(Limiter)７８０及び第２加算器７９０を含む。
【００５２】
低域通過ユニット７５０は、一種の低域通過フィルターで低周波帯域でフィルタリングして、隣接ピクセルに対してマスキングを遂行してノイズをとり除く。
【００５３】
逓倍器(７６０)は、第２階調信号の周波数を定数倍する。第１実施例では入力される第２階調信号を二倍で増加させる。
【００５４】
第１加算器７７０は、少なくとも２個以上の数を入力にしてこれらの合計をプリントアウトするのである。 
【００５５】
本発明の第１実施例による第１加算器７７０は、入力される第２階調信号の周波数を逓倍器(７６０)で二倍増加させた値に、低域通過ユニット７５０を通じて入力される低周波成分の値を差引きすることで、高周波成分を求めるようにする。
【００５６】
第２リミッター７８０は、第２階調信号が高周波帯域に通過される時、第２階調信号の階調値を０以上２５５以下で制限する。以後、制限された第２階調信号は、第２加算器７９０を通じて低周波帯域に通過されるので、結局、第２リミッターは第２階調信号の減少した光の明るさを適当なレベルで制限する役目を遂行する。
【００５７】
第２加算器７９０は入力される第２階調信号を逓倍器(７６０)で二倍増加させた値に第１加算器７７０を通じてプリントアウトされる高周波成分を差引することで、第２階調信号は低周波帯域でフィルタリングされる。
【００５８】
ここで低域通過ユニットに対してよく見れば次の図８のようだ。
図８は、本発明の第１実施例による低域通過ユニットを説明するための図である。図８で示したように低域通過ユニット８００は、一種の低域通過フィルターでＮ*Ｍのマスクを利用して接したセルに対する平均を求めるので,アベレージフィルター(average filter)と指称したりする。このような低域通過ユント８００は、ノイズをとり除く役目をして、入力される信号を低周波帯域にフィルタリングする。
図８ではライン単位に入力される信号に対して６個のディルレイ(D)を持って、ラインディルレイ(Line Delay)が２個であるので、 ３*７のマスクを使う実例である。ここで、a、b、c、dとF、Eはフィルタリング係数である。
【００５９】
図９は、本発明の第１実施例によるフィルタリングされた信号が映像に表示される波形を概略的に示す図である。図９に示したのように、動映像である場合、第２階調信号が第１階調信号に対して位置上移動がないが、第１階調信号は表示される光の明るさが増加して第２階調信号は表示される光の明るさが減少した波形を持つ。 
【００６０】
次のフレームが表示される時、すなわち連続的に映像が具現される時、使用者には第１階調信号による波形が大体的に認識されるので、二重映像をとり除く效果を持つことができる。
【００６１】
本発明の第１実施例によるプラズマディスプレイパネルの画像処理方法は、図６のそれぞれの機能部と結付してよく見れば次のような段階で成り立つ。
【００６２】
先に、一つフレームの間入力される階調信号を第１階調信号と第２階調信号で分割する階調信号分割する。
【００６３】
以後、第１階調信号を高周波帯域にフィルタリングする高域通過フィルタリングを遂行する。
【００６４】
以後、第２階調信号を低周波帯域にフィルタリングする低域通過フィルタリングを遂行する。 
【００６５】
この時、高域通過フィルタリング段階は、第１階調信号が高周波帯域で通過する時、階調信号の階調値を制限する階調値制限段階をさらに含み、低域通過フィルタリング段階は第２階調信号が低周波帯域で通過する時、階調信号の階調値を補償する階調値補償段階をさらに含む。
【００６６】
また、入力される階調信号が停止映像信号である時、第１階調信号と第２階調信号の平均値は入力される階調信号の階調値と同一な階調値を持つようになる。
【００６７】
<第２実施例>
図１０は、本発明の第２実施例によるプラズマディスプレイパネルの画像処理装置を説明するためのブロック図である。図１０に示したのように、本発明の第２実施例によるプラズマディスプレイパネルの画像処理装置は、一つフレームの間入力される階調信号が第１階調信号と第２階調信号とに分割されて、第１階調信号は高周波帯域でフィルタリングされて、第２階調信号は現在(N)プレームと次(N+１)フレームの階調信号の平均信号に変換されて、平均信号は低周波帯域でフィルタリングされるようにする。
【００６８】
このようなプラズマディスプレイパネルの駆動装置を具現するため、本発明の第２実施例では、階調信号分割部１０１０、フレームメモリー部１０２０、高域通過フィルター部１０３０、平均信号生成部１０４０及び低域通過フィルター部１０５０を具備するようにする。
【００６９】
階調信号分割部１０１０は、一つフレームの間入力される階調信号を第１階調信号と第２階調信号とに分割する。この時、第１階調信号と第２階調信号とは、以後、サーブフィールドマッピング部(図示せず)を通じて、一つフレーム内に第１サーブフィールドグループと第２サーブフィールドグループとにマッピングされる。
【００７０】
フレームメモリー部１０２０は、階調信号分割部１０１０から入力される第１階調信号と第２階調信号とをフレーム単位で貯蔵する。 
【００７１】
この時、フレームメモリー部１０２０に保存された現在(N)フレームの第１階調信号は、以後高域通過フィルター部１０３０に入力される。また、フレームメモリー部１０２０に保存された現在(N)フレームの第２階調信号と、階調信号分割部１０１０で出力される次(N+１)フレームの第２階調信号とは、以後、平均信号生成部１０４０に入力される。
【００７２】
高域通過フィルター部(High Pass Filter)１０３０は、フレームメモリー部１０２０から入力される第１階調信号を高周波帯域にフィルタリングする。このようなフィルタリングは、画像処理において空間フィルタリング(Spatial Filtering)により実行され、高域通過フィルター部でフィルタリングされた第１階調信号は、画面に表示される光の明るさが増加するようになる。
【００７３】
平均信号生成部１０４０は、加算器１０４１と分周器１０４２とを利用して階調信号分割部１０１０とフレームメモリー部１０２０から入力される現在(N)プレームと次(N+１)フレームの第２階調信号を変換して平均信号を生成する。
【００７４】
この時、加算器１０４１は、現在プレームと次のフレームの第２階調信号を加算して、加算された信号は１/２分周器分周器１０４２を通じて、１/２倍で縮んだ階調値を持つ平均信号が生成される。
【００７５】
低域通過フィルター部(Low Pass Filter；１０５０)は、平均信号生成部１０４０から入力される平均信号を低周波帯域にフィルタリングする。このようなフィルタリングは、画像処理において空間フィルタリングで実行され、低域通過フィルター部でフィルタリングされた第２階調信号の平均信号は画面に表示される光の明るさが減少するようになる。
【００７６】
これにより、第２階調信号によって表示される光の明るさが減少して、第１階調によって表示される光の明るさが増加するによって、一つフレームの間第１階調信号によって映像が表示されるように見える。 
【００７７】
動映像である場合、従来の同一に表示される第１階調信号と第２階調信号とによって現われる二重映像が除去される效果が現われるようになる。また、第２階調信号は平均信号に生成される時、第１階調信号と接する部分でエッジ(edge)成分をつくるので、第１階調信号がより明白に表示されることができる。
【００７８】
ここで、入力される階調信号が停止映像信号である時、第１階調信号と第２階調信号の平均信号の平均値は入力される階調信号の階調信号値と同一な階調信号値を持つ。
【００７９】
本発明の低域通過フィルター部は、第２階調信号の平均信号が低周波帯域に通過する時、平均信号の階調値を償う第２リミッター(図示せず)を含む。
【００８０】
この時、第２リミッターは現在プレームと次のフレームの第２階調信号の階調値差の絶対値を利用して平均信号の階調値を償ってくれる。
【００８１】
このような高域通過フィルター部と低域通過フィルター部の構造と動作特性、及び、高域通過フィルターと低域通過フィルターに含まれた低域通過ユニット、第１リミッター及び第２リミッターに対する説明は、図７a乃至図８を通じて十分に説明したので略する事にする。
【００８２】
図１１は、本発明の第２実施例によるフィルタリングされた信号が映像に表示される波形を概略的に示す図である。図１１に示したのように、動映像である場合、第２階調信号の平均信号が第１階調信号に対して位置上移動がないが、第１階調信号は表示される光の明るさが増加して第２階調信号の平均信号は表示される光の明るさが減少した波形を持つ。      
【００８３】
また、第２階調信号の平均信号は、現在フレームの波形と次のフレームの波形が現在フレーム間表示されて、光の明るさは現在フレームの階調信号のみをフィルタリングした時と比べて、１/２倍で縮むのが分かる。 
【００８４】
次のフレームが表示される時、すなわち連続的に映像が具現される時、使用者には第１階調信号による波形が大体的に認識されるので、二重映像をとり除く效果を持つことができる。 
【００８５】
また、第１階調信号と第２階調信号の平均信号が接する部分でエッジ(edge)成分をつくるので、第１階調信号がより明白に表示されることができる。
【００８６】
本発明の第２実施例によるプラズマディスプレイパネルの画像処理方法は、図１０のそれぞれの機能部と結付してよく見れば、次のような段階で成り立つ。
【００８７】
先に、一つフレームの間入力される階調信号を第１階調信号と第２階調信号で分割する。
【００８８】
以後、第１階調信号と第２階調信号をフレーム単位で貯蔵する。
【００８９】
以後、現在フレームの第１階調信号を高周波帯域にフィルタリングする高域通過フィルタリングする。
【００９０】
以後、現在(N)プレームと次(N+１)フレームの第２階調信号を変換して平均信号を生成する平均信号生成する。
【００９１】
以後、第２階調信号の平均信号を低周波帯域にフィルタリングする低域通過フィルタリングする。
【００９２】
この時、高域通過フィルタリング段階は、第１階調信号が高周波帯域で通過する時、階調信号の階調値を制限する階調値制限段階をさらに含み、低域通過フィルタリング段階は、第２階調信号の平均信号が低周波帯域に通過する時、階調信号の階調値を償う階調値補償段階をさらに含む。
【００９３】
また、階調値補償段階は、現在フレームと次のフレームとの階調信号の階調値差の絶対値を利用してフィルタリングされた第２階調信号の平均信号を償うようにする。
【００９４】
また、入力される階調信号が停止映像信号である時、第１階調信号と第２階調信号の平均信号の平均値は入力される階調信号の階調値と同一な階調値を持つようになる。
<第３実施例>
【００９５】
図１２は、本発明の第３実施例によるプラズマディスプレイパネルの画像処理装置を説明するためのブロック図である。図１２に示したのように、本発明の第３実施例によるプラズマディスプレイパネルの画像処理装置は、一つフレームの間入力される階調信号が第１階調信号と第２階調信号に分割されて、第１階調信号は高周波帯域でフィルタリングされて、第２階調信号は現在(N)プレームと次(N+１)フレームの階調信号の平均信号に変換されて、前記平均信号は低周波帯域にフィルタリングされ、現在フレームと次のフレームの第２階調信号は階調値差によって選択されて、前記分割後の現在フレームの第１階調信号、現在フレームの第２階調信号または次のフレームの第２階調信号の中に何れか一つの階調信号に付加するようにする。
【００９６】
このようなプラズマディスプレイパネルの駆動装置を具現するため、本発明の第３実施例では、階調信号分割部１２１０、フレームメモリー部１２２０、高域通過フィルター部１２３０、平均信号生成部１２４０、低域通過フィルター部１２５０、 Y信号変換部(１２６０、 １２６０′)、階調信号選択部１２７０、ノイズ除去部１２８０及び選択部１２９０を具備するようにする。
【００９７】
階調信号分割部１２１０は、一つフレームの間入力される階調信号を第１階調信号と第２階調信号で分割する。この時、第１階調信号と第２階調信号とは、以後、サーブフィールドマッピング部(図示せず)を通じて一つフレーム内に第１サーブフィールドグループと第２サーブフィールドグループにマッピングされる。
【００９８】
フレームメモリー部１２２０は、階調信号分割部１２１０から入力される第１階調信号と第２階調信号をフレーム単位で貯蔵する。 
【００９９】
この時、フレームメモリー部１２２０に貯蔵された現在(N)フレームの第１階調信号は、以後、高域通過フィルター部１２３０に入力される。また、フレームメモリー部１２２０に貯蔵された現在(N)フレームの第２階調信号と、階調信号分割部１２１０でプリントアウトされる次(N+１)フレームの第２階調信号とは、以後、平均信号生成部１２４０に入力される。
【０１００】
高域通過フィルター部(High Pass Filter；１２３０)は、フレームメモリー部１２２０から入力される第１階調信号を高周波帯域にフィルタリングする。このようなフィルタリングは、画像処理において空間フィルタリング(Spatial Filtering)で実行され、高域通過フィルター部でフィルタリングされた第１階調信号は画面に表示される光の明るさが増加するようになる。
【０１０１】
平均信号生成部１２４０は、加算器１２４１と分周器１２４２を利用して階調信号分割部１２１０とフレームメモリー部１２２０から入力される現在(N)フレームと次(N+１)フレームとの第２階調信号を変換して平均信号を生成する。
【０１０２】
この時、加算器１２４１は、現在フレームと次のフレームとの第２階調信号を加算して、加算された信号は１/２分周器１２４２を通じて、１/２倍で縮んだ階調値を持つ平均信号が生成される。
【０１０３】
低域通過フィルター部(Low Pass Filter)１２５０は、平均信号生成部１２４０から入力される平均信号を低周波帯域にフィルタリングする。このようなフィルタリングは、画像処理において空間フィルタリングで実行され、低域通過フィルター部でフィルタリングされた第２階調信号の平均信号は、画面に表示される光の明るさが減少するようになる。
【０１０４】
Y信号変換部(１２６０、１２６０')は、第２階調信号を現在フレームと次のフレームとのR(Red)、 G(Green)、B(Blue)の輝度信号で変換する。
【０１０５】
階調信号選択部１２７０は、現在フレームと次のフレームとのY信号変換部(１２６０、１２６０′)で入力される輝度信号の現在フレームと次のフレームとの階調値差によって、現在フレームまたは次のフレームの第２階調信号を選択する。すなわち、階調値差を利用して、表示しようとするフレームの第２階調信号を選択するようにする。
【０１０６】
ノイズ除去部１２８０は、選択された第２階調信号のノイズをとり除く。この時、ノイズ除去部は、ノイズ除去機能を持っている前記低域通過ユニットで構成されることができる。
【０１０７】
選択部１２９０は、ノイズが除去された第２階調信号を階調信号分割部１２１０で分割された現在フレームの第１階調信号、現在フレームの第２階調信号または次のフレームの第２階調信号の中に何れか一つの階調信号に付け加える。これはノイズが除去された第２階調信号の光の明るさを、高域または低域通過フィルタリングを通じて適切に調節して、以後画面に表示するためである。
【０１０８】
すなわち、本発明の第３実施例による画像処理装置は第１及び第２実施例とは違い、 Y信号変換部、階調信号選択部、ノイズ除去部及び選択部を具備する。
【０１０９】
これにより、第２階調信号の表示される光の明るさを減らさないで、輝度信号に変換、階調値比較、ノイズ除去及びフィルタリングの選択を通じて、動映像または停止映像による第２階調の位置で表示されるようにして、二重映像をとり除くようにする。
【０１１０】
図１２ではB(Blue)に対する画像処理装置を図示したが、R(Red)及びG(Green)に対しても同一に画像処理装置が構成されられている。
【０１１１】
ここで、入力される階調信号が停止映像信号である時、第１階調信号と第２階調信号との平均信号の平均値は入力される階調信号の階調信号値と同一な階調信号値を持つ。
【０１１２】
また、本発明の低域通過フィルター部は第２階調信号の平均信号が低周波帯域に通過する時、平均信号の階調値を償う第２リミッター(図示せず)を含む。
【０１１３】
この時、第２リミッターは、現在フレームと次のフレームとの第２階調信号の階調値差の絶対値を利用して平均信号の階調値を償ってくれることができるし、現在フレームと次のフレームとの輝度信号(Y)の階調値差の絶対値を利用して償って与えることもある。
【０１１４】
このような高域通過フィルター部と低域通過フィルター部の構造と動作特性、及び、高域通過フィルターと低域通過フィルターに含まれた低域通過ユニット、第１リミッター及び第２リミッターに対する説明は、図７a乃至図８を通じて十分に説明したので略する事にする。
【０１１５】
図１３は、本発明の第３実施例によるフィルタリングされた信号が映像に表示される波形を概略的に示す図である。図１３に示したのように、本発明の第３実施例では動映像である場合、第１階調信号が表示される光の位置に対して移動した第２階調信号が表示される波形を具現することができる。 
【０１１６】
この時、第２階調信号が表示される位置は上述した図１２のそれぞれの機能部を利用して、現在フレームと次のフレームとの第１階調信号が表示される位置の中間に表示される。
【０１１７】
本発明の第３実施例によるプラズマディスプレイパネルの画像処理装置によって映像を具現する時、使用者には第１階調信号による波形に対して自然に移動された第２階調信号による波形が認識されるので、二重映像をとり除く效果を持つことができる。 
【０１１８】
本発明の第３実施例によるプラズマディスプレイパネルの画像処理方法は、図１２のそれぞれの機能部と結付してよく見れば、次のような段階で成り立つ。
【０１１９】
先に、一つフレームの間入力される階調信号を第１階調信号と第２階調信号で分割する。
【０１２０】
以後、第１階調信号と第２階調信号をフレーム単位で貯蔵する。
【０１２１】
以後、現在フレームの第１階調信号を高周波帯域にフィルタリングする。
【０１２２】
以後、現在(N)フレームと次(N+１)フレームとの第２階調信号を変換して平均信号を生成する。
【０１２３】
以後、平均信号を低周波帯域にフィルタリングする。
【０１２４】
以後、第２階調信号を現在フレームと次のフレームとのR(Red)、G(Green)、B(Blue)の輝度信号で変換するY信号変換する。
【０１２５】
以後、Y信号変換段階で入力される輝度信号の現在フレームと次のフレームの階調値差によって現在フレームまたは次のフレームの第２階調信号を選択する。
【０１２６】
以後、変換された階調信号のノイズをとり除く。
【０１２７】
以後、ノイズが除去された階調信号を分割後の現在フレームの第１階調信号、現在フレームの第２階調信号または次のフレームの第２階調信号の中に何れか一つの階調信号に付け加える。
【０１２８】
この時、高域通過フィルタリング段階は、第１階調信号が高周波帯域に通過する時、階調信号の階調値を制限する階調値制限段階をさらに含んでいる。低域通過フィルタリング段階は、第２階調信号の平均信号が低周波帯域に通過する時、階調信号の階調値を補償する階調値補償段階をさらに含む。
【０１２９】
また、階調値補償段階は、現在フレームと次のフレームとの階調信号の階調値差の絶対値を利用するとか、現在フレームと次のフレームとの輝度信号(Y)の階調値差の絶対値を利用して、フィルタリングされた第２階調信号の平均信号を補償するようにする。
【０１３０】
また、入力される階調信号が停止映像信号である時、第１階調信号と第２階調信号との平均信号の平均値は入力される階調信号の階調値と同一な階調値を持つようになる。
【０１３１】
このように、上述した本発明の技術的構成は、本発明が属する技術分野の当業者が本発明のその技術的思想や必須的な特徴を変更しなくても、他の具体的な形態で実施することができるということを理解することができるはずである。 
【０１３２】
それで、以上で記述した実施例はすべての面で例示的なことで限定的なのではないこととして理解されなければならないし、 本発明の範囲は前記詳細な説明よりは後述する特許請求範囲によって現わされて、特許請求範囲の意味及び範囲そしてその等価概念から導出されるすべての変更または変形された形態が本発明の範囲に含まれることに解釈されなければならない。
【図面の簡単な説明】
【０１３３】
【図１】一般的なプラズマディスプレイパネルの構造を示す図。
【図２】従来のプラズマディスプレイパネルの駆動装置を説明するための図。
【図３】従来プラズマディスプレイパネルの画像階調を具現する方法を示す図。
【図４】従来の一つフレームの間２個のグループで構成されるサーブフィールドを概略的に示す図。
【図５ａ】従来の映像具現の時現われるフリッカー及び二重映像を説明するための図。
【図５ｂ】従来の映像具現の時現われるフリッカー及び二重映像を説明するための図。
【図６】本発明の第１実施例によるプラズマディスプレイパネルの画像処理装置を説明するためのブロック図。
【図７ａ】本発明の第１実施例による高域通過フィルター及び低域通過フィルターを説明するための図。
【図７ｂ】本発明の第１実施例による高域通過フィルター及び低域通過フィルターを説明するための図。
【図８】本発明の第１実施例による低域通過ユニットを説明するための図。
【図９】本発明の第１実施例によるフィルタリングされた信号が映像に表示される波形を概略的に示す図。
【図１０】本発明の第２実施例によるプラズマディスプレイパネルの画像処理装置を説明するためのブロック図。
【図１１】本発明の第２実施例によるフィルタリングされた信号が映像に表示される波形を概略的に示す図。
【図１２】本発明の第３実施例によるプラズマディスプレイパネルの画像処理装置を説明するためのブロック図であり、
【図１３】本発明の第３実施例によるフィルタリングドエン信号が映像に表示される波形を概略的に示す図である。
【符号の説明】
【０１３４】
６１０、１０１０、１２１０； 階調信号分割部
７１０、７５０；低域通過ユニット
６２０、７００a、１０３０、１２３０；高域通過フィルター部
７２０、７６０；逓倍器
６３０、７００b、１０５０、１２５０；低域通過フィルター部
７３０、７７０、 ７９０；加算器
７４０、７８０；リミッター
１０２０、１２２０；フレームメモリー部
１０４０、１２４０；平均信号生成部  
１２６０、１２６０；Y信号変換部
１２７０；階調信号選択部      
１２８０；ノイズ除去部
１２９０；選択部
【図１】
2006195405.tif 000003
【図２】
2006195405.tif 000004
【図３】
2006195405.tif 000005
【図４】
2006195405.tif 000006
【図５ａ】
2006195405.tif 000007
【図５ｂ】
2006195405.tif 000008
【図６】
2006195405.tif 000009
【図７ａ】
2006195405.tif 000010
【図７ｂ】
2006195405.tif 000011
【図８】
2006195405.tif 000012
【図９】
2006195405.tif 000013
【図１０】
2006195405.tif 000014
【図１１】
2006195405.tif 000015
【図１２】
2006195405.tif 000016
【図１３】
2006195405.tif 000017